(57)【要約】【課題】ユーザが試薬を反応面にこすり付ける作業を行わなくてもガスを検知可能なガス検知装置を提供する。【解決手段】ガス検知装置１０は、第１の反応面１および第２の反応面２を有するプレート３と、第１の反応面１を覆う透明保護シート４と、第２の反応面２を覆う透明保護シート５と、第１の反応面１が透明保護シート４で覆われ、かつ、第２の反応面２が透明保護シート５で覆われたプレート３を収納する保護パッケージ６と、透明保護シート４と保護パッケージ６とを接続するシート接続部７と、を含む。プレート３が保護パッケージ６から取り出される際に、シート接続部７によって、透明保護シート４が、第１の反応面１からはがされる。第２の反応面２は、透明保護シート５で覆われたままとなる。【選択図】図１
2008185353.tif 000002
【特許請求の範囲】
【請求項１】
特定ガスと呈色反応する試薬が塗布された第１および第２の反応面を有するプレートと、
前記第１の反応面を覆う保護部と、
前記第２の反応面を覆う透明保護部と、
前記第１の反応面が前記保護部で覆われ、かつ、前記第２の反応面が前記透明保護部で覆われた前記プレートを、収納する保護パッケージと、
前記保護部と前記保護パッケージとを接続する接続部と、を含むガス検知装置。
【請求項２】
請求項１に記載のガス検知装置において、
前記保護部は、透明である、ガス検知装置。
【請求項３】
請求項１または２に記載のガス検知装置において、
前記保護部は、前記第１の反応面の周囲の前記プレートの部分に剥離可能に貼り合わされた保護シートである、ガス検知装置。
【請求項４】
請求項１ないし３のいずれか１項に記載のガス検知装置において、
前記透明保護部は、前記第２の反応面の周囲の前記プレートの部分に貼り合わされている透明保護シートである、ガス検知装置。
【請求項５】
請求項１、２または４に記載のガス検知装置において、
前記保護部は、前記第１の反応面を覆う袋状のカバーである、ガス検知装置。
【請求項６】
請求項１、２、３または５に記載のガス検知装置において、
前記透明保護部は、前記第２の反応面を覆う袋状のカバーである、ガス検知装置。
【請求項７】
請求項１ないし６のいずれか１項に記載のガス検知装置において、
前記保護パッケージは、前記プレートの取出口を有する収納部と、前記取出口を封止する封止部と、を含む、ガス検知装置。
【発明の詳細な説明】
【技術分野】
【０００１】
本発明は、ガス検知装置に関し、特には、反応面上で試薬を特定のガスと呈色反応させるガス検知装置に関する。
【背景技術】
【０００２】
従来、毒ガス等のガスと試薬とを化学反応させて試薬の色を変化させるガス検知装置が知られている。例えば、特許文献１（ＵＳＰ６２２８６５７Ｂ１号公報）には、Ｍ２５６キットが記載されている。
【０００３】
図７（ａ）は、Ｍ２５６キットを示した説明図である。
【０００４】
図７（ａ）において、Ｍ２５６キット１００は、２枚の反応面１０１および１０２を有するプレート１０３と、錠剤状の試薬１０４と、試薬１０４を反応面１０１および１０２にこすりつけるために折り曲がりかつ上下に可動する板１０５とを含む。
【０００５】
図７（ｂ）は、Ｍ２５６キッド１００が、保護パッケージ１０６に包まれている状態を示した断面図である。Ｍ２５６キッド１００は、保護パッケージ１０６内に存在するとき、外気などの雰囲気から遮断される。図７（ｂ）において、図７（ａ）に示したものと同一のものには同一符号を付してある。
【０００６】
図８は、Ｍ２５６キットの使用例を説明するための説明図である。
【０００７】
ユーザは、Ｍ２５６キット１００を保護パッケージ１０６から取り出し、板１０５を折り曲げて、錠剤状の試薬１０４を反応面１０１にこすり付ける（図８（ａ）参照）。
【０００８】
続いて、Ｍ２５６キットは、しばらくの間、ガスのある雰囲気内に放置される（図８（ｂ）参照）。このとき、反応面１０１上の試薬１０４は、特定ガスと呈色反応する。
【０００９】
その後、ユーザは、再度、板１０５を折り曲げて、錠剤状の試薬１０４を反応面１０２のこすり付け、反応面１０１の色（具体的には、反応面１０１上の試薬１０４の色（呈色反応済み））と、反応面１０２の色（具体的には、反応面１０２上の試薬１０４の色）との違いを比較して特定ガスの有無を判定する（図８（ｃ）参照）。
【特許文献１】ＵＳＰ６２２８６５７Ｂ１号公報
【発明の開示】
【発明が解決しようとする課題】
【００１０】
図８に示した手法では、ユーザは、ガス特定時に、反応面１０１および１０２に錠剤状の試薬１０４を手動でこすり付けるという煩わしい作業を行わなければならない。
【００１１】
本発明の目的は、ユーザが試薬を反応面にこすり付ける作業を行わなくてもガスを検知可能なガス検知装置を提供することである。
【課題を解決するための手段】
【００１２】
上記目的を達成するために、本発明のガス検知装置は、特定ガスと呈色反応する試薬が塗布された第１および第２の反応面を有するプレートと、前記第１の反応面を覆う保護部と、前記第２の反応面を覆う透明保護部と、前記第１の反応面が前記保護部で覆われ、かつ、前記第２の反応面が前記透明保護部で覆われた前記プレートを、収納する保護パッケージと、前記保護部と前記保護パッケージとを接続する接続部と、を含む。
【００１３】
上記発明によれば、ガスを検知するためにプレートが保護パッケージから取り出される際に、保護パッケージと保護部を接続する接続部によって、保護部が第１の反応面からはがされる。
【００１４】
第１の反応面には試薬が塗布されているため、プレートが、保護パッケージから取り出された状態で、特定ガスを含む雰囲気中に置かれると、第１の反応面の試薬は、特定ガスと呈色反応する。一方、試薬が塗布されている第２の反応面は透明保護部で覆われているため、試薬の色を変化しない。
【００１５】
よって、ユーザは、試薬を反応面にこすり付ける作業を行わなくても、第１の反応面の色と第２の反応面の色とを比較することで、特定ガスの有無を判定することができる。
【００１６】
なお、前記保護部は、透明であることが望ましい。
【００１７】
上記発明によれば、保護部で覆われている試薬の異常を発見することが可能になる。また、保護部と透明保護部との素材を同じにできる。
【００１８】
また、前記保護部は、前記第１の反応面の周囲の前記プレートの部分に剥離可能に貼り合わされた保護シートであることが望ましい。
【００１９】
上記発明によれば、第１の反応面が保護シートで覆われている間、第１の反応面が外気に触れることを高い確率で防止可能になる。
【００２０】
また、前記透明保護部は、前記第２の反応面の周囲の前記プレートの部分に貼り合わされている透明保護シートであることが望ましい。
【００２１】
上記発明によれば、第２の反応面が外気に触れることを高い確率で防止可能になる。
【００２２】
また、前記保護部は、前記第１の反応面を覆う袋状のカバーであることが望ましい。
【００２３】
上記発明によれば、第１の反応面が袋状のカバーで覆われている間、第１の反応面が外気に触れることを高い確率で防止可能になる。
【００２４】
また、前記透明保護部は、前記第２の反応面を覆う袋状のカバーであることが望ましい。
【００２５】
上記発明によれば、第２の反応面が外気に触れることを高い確率で防止可能になる。
【００２６】
また、前記保護パッケージは、前記プレートの取出口を有する収納部と、前記取出口を封止する封止部と、を含むことが望ましい。
【００２７】
上記発明によれば、保護パッケージ内にプレートを密封して収納することが可能になり、第１および第２の反応面を外気から十分に保護することが可能になる。
【発明の効果】
【００２８】
本発明によれば、ユーザが試薬を反応面にこすり付ける作業を行わなくてもガスを検知可能になる。
【発明を実施するための最良の形態】
【００２９】
以下、本発明の実施形態を図面を参照して説明する。
【００３０】
図１は、本発明の一実施形態のガス検知装置を示した断面図である。
【００３１】
図１において、ガス検知装置１０は、第１の反応面１および第２の反応面２を有するプレート３と、第１の反応面１を覆う透明保護シート４と、第２の反応面２を覆う透明保護シート５と、第１の反応面１が透明保護シート４で覆われ、かつ、第２の反応面２が透明保護シート５で覆われたプレート３を収納する保護パッケージ６と、透明保護シート４と保護パッケージ６とを接続するシート接続部７と、を含む。
【００３２】
第１の反応面１および第２の反応面２は、例えば、紙で形成される。第１の反応面１および第２の反応面２には、従来から使用されている錠剤状の試薬と同様の成分を持つ、固形または液体状の試薬８が均一に塗布されている。
【００３３】
プレート３において第１の反応面１および第２の反応面２と異なる部分には、試薬８は塗布されておらず、この部分は不感帯部分となる。
【００３４】
透明保護シート４は、保護部の一例であり、第１の反応面１が、ガス、酸素および湿気などを含む外気と触れることを防止する。なお、保護部は透明でなくてもよい。透明保護シート４は、第１の反応面１の周囲のプレート３の部分に、接着力の弱い接着剤を用いて剥離可能に貼り合わされている。なお、このような接着剤は公知である。
【００３５】
透明保護シート５は、透明保護部の一例であり、第２の反応面２が、ガス、酸素および湿気などを含む外気と触れることを防止する。透明保護シート５は、第２の反応面２の周囲のプレート３の部分に、接着力の弱い接着剤を用いて剥離可能に貼り合わされている。なお、透明保護シート５は、第２の反応面２の周囲のプレート３の部分と固着されてもよい。
【００３６】
以下では、透明保護シート４と透明保護シート５とが貼り付けられたプレート３を「シート付き反応プレート３Ａ」と称する。
【００３７】
保護パッケージ６は、シート付き反応プレート３を収納する。
【００３８】
シート接続部７は、接続部の一例であり、保護パッケージ６と透明保護シート４を接続する。
【００３９】
図２は、プレート３と、透明保護シート４と、透明保護シート５とを別々に示した説明図であり、図３は、透明保護シート４と透明保護シート５がプレート３に貼り付けられた状態（シート付き反応プレート３Ａ）を示した説明図である。なお、図２および図３において、図１に示したものと同一のものには同一符号を付してある。
【００４０】
図４は、シート付き反応プレート３Ａが保護パッケージ６から取り出されるときの状態を説明するための説明図である。なお、図４において、図１に示したものと同一のものには同一符号を付してある。
【００４１】
図４（ａ）は、シート付き反応プレート３Ａが保護パッケージ６に収納されている状態を示した図である。この状態では、第１の反応面１および第２の反応面２は、外気雰囲気に曝されることはない。
【００４２】
図４（ｂ）は、シート付き反応プレート３Ａが保護パッケージ６から取り出される状態を示した図である。シート付き反応プレート３Ａが保護パッケージ６から取り出される際、保護パッケージ６と接続しているシート接続部７によって、透明保護シート４が、第１の反応面１からはがされる。
【００４３】
なお、保護パッケージ６は、プレート３の取出口６ａを有する収納部６ｂと、取出口６ａを封止する封止部６ｃと、を含む。
【００４４】
図４（ｃ）は、透明保護シート４が第１の反応面１からはがされ、第１の反応面１が露出したプレート３を示した図である。なお、第２の反応面２は、透明保護シート５で覆われているため、この状態では、第２の反応面２は、外気雰囲気に曝されない。
【００４５】
図５は、ガス検知装置１０の使用例を説明するための説明図である。なお、図５において、図１に示したものと同一のものには同一符号を付してある。
【００４６】
図５（ａ）は、シート付き反応プレート３Ａが保護パッケージ６内にある状態を示した図である。この状態では、第１の反応面１には、透明保護シート４が貼り付いており、第２の反応面２には、透明保護シート５が貼り付いている。
【００４７】
図５（ｂ）は、シート付き反応プレート３Ａが保護パッケージ６から取り出されて、透明保護シート４が第１の反応面１からはがされ、第１の反応面１が露出したプレート３を示した図である。
【００４８】
この状態で、プレート３がガス雰囲気中に放置されることで、第１の反応面１に塗布された試薬８は、特定ガスと呈色反応する。このとき、第２の反応面２は、透明保護シート５で覆われているため、第２の反応面２に塗布された試薬８は反応しない。
【００４９】
図５（ｃ）は、露出した第１の反応面１（具体的には、第１の反応面１の試薬８）が呈色反応を生じた状態を示しており、ユーザは、第１の反応面１の色と、未反応の第２の反応面２の色との違いを比較して特定ガスの有無を判定することができる。
【００５０】
本実施形態によれば、ガスを検知するためにシート付き反応プレート３Ａが保護パッケージ６から取り出される際に、シート接続部７によって、透明保護シート４が第１の反応面１からはがされる。このとき、第２の反応面２は、透明保護シート５で覆われている。
【００５１】
この状態で、プレート３が、特定ガスを含む雰囲気中に置かれると、第１の反応面１の試薬８は、特定ガスと呈色反応し、第２の反応面２の試薬８の色は変化しない。
【００５２】
よって、ユーザは、従来必要であった試薬を反応面にこすり付ける作業を行わなくても、第１の反応面の色と第２の反応面の色とを比較することで、特定ガスの有無を判定することができる。
【００５３】
また、手動で試薬を反応面にこすり付ける必要がなくなるため、例えば、機械を用いて反応面に試薬を均一にかつ全面に塗布することが可能になる。
【００５４】
また、手動で試薬を反応面にこすり付ける必要がなくなるため、反応面に塗布される試薬の量に個人差が生じることを防止可能になり、色の判定を定量的に行うことが可能になる。
【００５５】
また、本実施形態では、保護部（透明保護シート４）は、透明である。この場合、ユーザは、保護部で覆われている試薬の色を確認でき、試薬の異常（変色等）を発見することが可能になる。また、保護部と透明保護部（透明保護シート５）とを同じ素材にできる。
【００５６】
また、本実施形態では、透明保護シート４は、第１の反応面１の周囲のプレート３の部分に接着力の弱い接着剤で剥離可能に貼り合わされる。この場合、第１の反応面１が透明保護シート４で覆われている間、第１の反応面１が外気に触れることを高い確率で防止可能になる。また、第１の反応面１に接着剤が付着することを防止できるので、接着剤に起因する第１の反応面１の不具合（破損、接着剤による試薬の変色およびコーティング等）を防止することが可能となる。
【００５７】
また、本実施形態では、透明保護シート５は、第２の反応面２の周囲のプレート３の部分に貼り合わされている。この場合、第２の反応面２が外気に触れることを高い確率で防止可能になる。また、第２の反応面２に接着剤が付着することを防止できるので、接着剤に起因する第２の反応面２の不具合（接着剤による試薬の変色およびコーティング等）を防止することが可能となる。
【００５８】
また、本実施形態では、保護パッケージ６は、収納部６ｂと封止部６ｃとを含む。この場合、保護パッケージ６内にプレート３を密封して収納することが可能になり、第１の反応面１および第２の反応面２を外気から十分に保護することが可能になる。
【００５９】
以上説明した実施形態において、図示した構成は単なる一例であって、本発明はその構成に限定されるものではない。
【００６０】
例えば、第１の反応面１を覆う保護部は、上記に限らず適宜変更可能であり、例えば、第１の反応面１を覆う袋状のカバーであってもよい。また、第２の反応面２を覆う透明保護部は、上記に限らず適宜変更可能であり、例えば、第２の反応面２を覆う袋状のカバーであってもよい。
【００６１】
図６は、保護部として第１の反応面１を覆う袋状のカバー４ａを用い、透明保護部として第２の反応面を覆う袋状のカバー５ａを用いたガス検知装置１０ａを示した説明図である。図６において、図１に示したものと同一のものには同一符号を付してある。
【００６２】
図６に示したガス検知装置では、プレート３が保護パッケージ６から取り出されるとき、シート接続部７によって、カバー４ａが破け、第１の反応面１が外気雰囲気に曝される。
【図面の簡単な説明】
【００６３】
【図１】本発明の一実施形態のガス検知装置を示したブロック図である。
【図２】プレート３と透明保護シート４と透明保護シート５とを別々に示した説明図である。
【図３】シート付き反応プレート３を示した説明図である。
【図４】シート付き反応プレート３が保護パッケージ６から取り出されるときの状態を説明するための説明図である。
【図５】ガス検知装置１０の使用例を説明するための説明図である。
【図６】本発明の他の実施形態のガス検知装置を示した説明図である。
【図７】Ｍ２５６キットを示した説明図である。
【図８】Ｍ２５６キットの使用例を説明するための説明図である。
【符号の説明】
【００６４】
１      第１の反応面
２      第２の反応面
３      プレート
４      透明保護シート
４ａ    カバー
５      透明保護シート
５ａ    カバー
６      保護パッケージ
７      シート接続部
１０、１０ａ  ガス検知装置
【図１】
2008185353.tif 000003
【図２】
2008185353.tif 000004
【図３】
2008185353.tif 000005
【図４】
2008185353.tif 000006
【図５】
2008185353.tif 000007
【図６】
2008185353.tif 000008
【図７】
2008185353.tif 000009
【図８】
2008185353.tif 000010